(57)【要約】【課題】外観上の見映えやデザイン性を損なうことなく、不所望光の出射を抑制した車両用灯具を提供する。【解決手段】白色光を出射する光源と、光源から出射される白色光を前方に向かって反射するリフレクタと、リフレクタの前方に配置される光学多層膜を備えたアウターレンズとを備える。リフレクタは、反射面上に形成された着色膜を備え、着色膜は、少なくとも前記光学多層膜が反射する光のピーク波長を含む所定の波長域の光を吸収することを特徴とする。【選択図】図１
2015079683.tif 000002
【特許請求の範囲】
【請求項１】
白色光を出射する光源と、
前記光源の周囲に配置され、前記光源から出射される白色光を前方に向かって反射するリフレクタと、
前記リフレクタの前方に配置される透光性基体と、
前記透光性基体の内面または外面の少なくとも一方に形成された、高屈折率材料と低屈折率材料とを交互に複数積層した光学多層膜と、を有し、
前記リフレクタは、その反射面上に形成された着色膜を備え、
前記着色膜は、少なくとも前記光学多層膜が反射する光のピーク波長を含む所定の波長域の光を吸収することを特徴とする車両用灯具。
【請求項２】
前記光学多層膜は、前記白色光のうち黄色光成分を透過し、
前記着色膜は、少なくとも前記光学多層膜が反射する黄色光より短波長の光のピーク波長の光を吸収する黄色に着色された膜であることを特徴とする請求項１に記載の車両用灯具。
【請求項３】
前記リフレクタは、基体、反射膜、およびトップコートを備え、
前記トップコートが所定の波長の光を吸収する染料または顔料を含有して前記着色膜を構成していることを特徴とする請求項１または請求項２に記載の車両用灯具。
【発明の詳細な説明】
【技術分野】
【０００１】
本発明は、車両用灯具に関し、特に車両前部に搭載されるフォグランプに関する。
【背景技術】
【０００２】
従来、この種の車両用灯具として、例えば、外部から給電されることにより発光するハロゲンランプ等の光源と、この光源の周囲に配置され、当該光源から出射される白色光を光軸方向前方に向かって反射させる反射部材としてのリフレクタと、当該リフレクタの光軸方向前方を覆うように配置され、内面側に光学多層膜を設けたアウターレンズ（またはアウターカバー）と、を備えたものが知られている。つまり、この車両用灯具は、光源がアウターレンズとリフレクタとによって画設された灯室内に配設され、光源から出射された白色光を、直接またはリフレクタによって反射させ、光学多層膜を透過させた上でアウターレンズを介して灯具の前方に照射する（例えば、特許文献１参照）。
【０００３】
ここで、光学多層膜は、例えば、以下のように構成されている。すなわち、アウターレンズの内面側に、ＴｉＯ２、Ｔａ２Ｏ５、ＺｒＯ２、ＺｎＯ等の金属酸化膜による高屈折率膜と、ＳｉＯ２、ＭｇＦ２、ＡｌＦ６等の金属酸化膜による低屈折率膜と、がそれぞれ目的とする反射波長（以下、設計波長と称する）の１／４を光学膜厚として交互に複数層積層されて構成されている。こうして積層された光学多層膜によって、例えば黄色光を照射するフォグランプであれば、光源から発せられた白色光のうち、黄色以外の光を、光の干渉によって反射させ、黄色成分の波長領域からなる黄色光を透過させるものである。なお、光学膜厚とは、その層の物理的膜厚×屈折率の値である。
【０００４】
このような光学多層膜を設けたアウターレンズを備えることにより、光源から出射された白色光は、アウターレンズを介して照射される際に、その内面側に形成された光学多層膜を透過する。このとき、当該白色光の波長領域のうち、所定波長の透過光色以外の波長領域の光が光学多層膜で反射され、該所定波長の波長領域の光(上述のフォグランプでは黄色光)が透過光として透過されて灯具の前方に向けて照射されることとなる。
【０００５】
また、非点灯時には、外部から進入する進入光が、光学多層膜による反射色として視認されるように設計することができるため、金属的光沢感の高い色（所謂、金属色）として視認されるような外観設計が可能となり、灯具としての外観上の見映えやデザイン性を向上させることができるメリットも兼ね備えている。
【先行技術文献】
【特許文献】
【０００６】
【特許文献１】特開２００４−１０３３４３号公報
【発明の概要】
【発明が解決しようとする課題】
【０００７】
しかし、このような光学多層膜をアウターレンズに設けた車両用灯具においては、光学多層膜で透過させるように設計した所定波長以外の波長の光が灯体の外部へ照射される場合があった。このことは、光学多層膜での多層膜反射光の透過率が０％ではないこと、および、光学多層膜により反射された光が灯室内で反射した後に外部へ放出され得ることに起因していた。例えば、このような光学多層膜をアウターレンズに設けて黄色光を放出するフォグランプでは、光源から出射された白色光のうち、黄色以外の波長領域の透過率が１０％程度、５５０〜６００ｎｍ程度の波長領域（黄色光）の透過率が９５％程度であった。
【０００８】
光学多層膜で反射するよう設計された波長帯域の光の一部または全部は、不所望な光であるが、その不所望な光のうち、白色光が光学多層膜へ入射した後に出射される光は、光量の大きな所望光（上記のフォグランプでは９５％で透過する黄色光）との混合光として、相対的に非常に小さいため、かつ、ほぼ同じ方向に出射されるため、問題は生じないものであった。
【０００９】
一方、上記不所望な光のうち、一度光学多層膜により反射された光が、灯室内で反射されたのちに再度光学多層膜を透過して放出される光は、特定の観視角度において、異なる色の見栄えを生じる可能性があるという問題があった。
【００１０】
特許文献１によれば、アウターレンズ自体を着色する、アウターレンズに着色膜を設けるなど、透過光を着色する構成が示されており、これにより上記問題については解決されていた。
【００１１】
しかし、これら特許文献１の構成では、車両用灯具の非点灯時における外観が、当該着色した色で視認されることになり、外観上の見映えやデザイン性が損なわれることになるという別の課題が生じていた。
【００１２】
そこで、本発明は、上述した事情を鑑みて、外観上の見映えやデザイン性を損なうことなく、不所望光の出射を抑制した車両用灯具を提供することを目的とする。
【課題を解決するための手段】
【００１３】
本発明の車両用灯具は、白色光を出射する光源と、この光源の周囲に配置され、光源から出射される白色光を前方に向かって反射するリフレクタと、リフレクタの前方に配置される透光性基体と、透光性基体の内面または外面の少なくとも一方に形成された、高屈折率材料と低屈折率材料とを交互に複数積層した光学多層膜とを備える。リフレクタは、その反射面上に形成された着色膜を備え、着色膜は、少なくとも前記光学多層膜が反射する光のピーク波長を含む所定の波長域の光を吸収することを特徴とする。
【００１４】
また、本発明の車両用灯具は、黄色光を照射するフォグランプとして、上記光学多層膜は、白色光のうち黄色光成分を透過し、着色膜は、少なくとも上記光学多層膜が反射する黄色光より短波長の比ｋ理ののピーク波長の光を吸収する黄色に着色された膜であることが好ましい。
【発明の効果】
【００１５】
本発明によれば、光学多層膜により反射された不所望光は、リフレクタで反射される際に着色膜により吸収されるため、従来光学多層膜により反射されて、灯室内で反射後に再度光学多層膜を透過して放出されていた不所望光を抑制することができる。そのため、特定の観視角度において、異なる色の見栄えを生じることが抑制できる。
【００１６】
また、着色膜をリフレクタの反射面上に形成することにより、外観上の見映えやデザイン性を損なうことがない。
【図面の簡単な説明】
【００１７】
【図１】（ａ）本発明に係るフォグランプの一実施形態を示す断面図である。（ｂ）（ａ）におけるリフレクタの構成を示す断面図である。
【図２】（ａ１）、（ａ２）本発明の実施形態のフォグランプの出射光について説明する模式図である。（ｂ１）、（ｂ２）比較例１のフォグランプの出射光について説明する模式図である。（ｃ１）、（ｃ２）比較例２のフォグランプの出射光について説明する模式図である。
【発明を実施するための形態】
【００１８】
以下、本発明の実施形態について、図面を参照して説明する。
図１は、本発明を適用したフォグランプ１の一実施形態を示すもので、とりわけフォグランプ１を、その略中心において車幅方向に切断した断面図である。
なお、以下の説明では、「前」「後」「左」「右」「上」「下」との記載は、特に断りのない限り、フォグランプ１から見た方向を意味するものとする。
【００１９】
図１（ａ）に示すように、本実施形態のフォグランプ１は、図示しない車両の前部に搭載されて、車両前方に黄色光からなる所定の配光パターンを形成するリフレクタ型のフォグランプ（霧灯）である。かかるフォグランプ１は、外部から給電されることにより、白色光を発光するハロゲンランプ等の光源２を備えている。また、このフォグランプ１は、光源２の周囲に配置され、当該光源２から出射される白色光を光軸方向前方に向かって反射させるリフレクタ３と、当該リフレクタ３の光軸方向前方を覆うように配置され、内面側に光学多層膜４を設けた透光性基体としてのアウターレンズ５と、を備えている。フォグランプ１は、リフレクタ３とアウターレンズ５とによって灯室６が画設されている。この灯室６内には、光源２が配設されている。
【００２０】
図１（ｂ）に示すように、リフレクタ３は、成形樹脂基体７上に、反射膜８、カラートップコート(着色膜)９を順次積層して構成されている。反射膜８は、例えばＡｌやＡｇなどの反射率の高い金属膜からなり、反射面３ａを形成する。
【００２１】
リフレクタ３は、白色光源からの放射光をその反射面３ａで車両前方へ照射させる。光軸方向前方に向かって開口する凹状に形成され、光軸方向後方に配置される光源２の周囲を包囲するように配設されている。光学系を形成するリフレクタ３は、前方に向かって凹状の放物面系の反射面を３ａ有し、その焦点上に、白色光源が配置されている。
ここで、放物面系の反射面は、回転放物面だけでなく、放物面を基本とした自由曲面を含むものである。
【００２２】
カラートップコート９は、所定の波長の光を吸収する染料や顔料を含有した樹脂から構成され、例えばスプレー方式など適宜な手法により反射面上に形成される。カラートップコート９は、光学多層膜４により反射される光の少なくとも一部の波長領域を吸収する機能を有する。また、カラートップコート(着色膜)９は、反射膜８を保護する機能を有する。
【００２３】
カラートップコート９は、カラートップコート９が吸収する光の波長域に、少なくとも光学多層膜４による反射光のピーク波長を含むように設計される。
例えば、黄色光を照射するフォグランプを構成する場合において、カラートップコート９は、黄色に着色された膜として構成され、黄色光より短波長域の光および／または黄色光より長波長の光を吸収することが好ましい。
つまり、例えば、黄色光を照射するフォグランプを構成する場合、カラートップコート９は、光学多層膜４によりリフレクタに向けて反射された黄色光以外の光について、そのピーク波長を含む所定の波長域の光を吸収する。
従って、光学多層膜４によりリフレクタに向けて反射された黄色光以外の光のうち不所望な光は、カラートップコート９により吸収されるため、灯室６の外に放出されることを抑制することができる。
【００２４】
また、カラートップコート９は、光源２から直接リフレクタ３に向けて放射された白色光についても、上述した所定の波長域の光を吸収する。そのため、光源２からリフレクタ３に向けて放出された白色光は、リフレクタ３において、カラートップコートで所定の波長域の光が吸収されるため、黄色の反射光を放射し、光学多層膜４とアウターレンズ５を透過して、灯室６の外に放出される。
【００２５】
アウターレンズ５は、例えば、ガラス、樹脂材料等の無色透明または半透明の透光性部材からなり、レンズまたはカバーとして構成され、リフレクタ３の開口した前面全体を覆うように配設されている。また、これらリフレクタ３およびアウターレンズ５は、この場合、いずれも正面視円形状に形成されており、それぞれの周縁部で互いに固定されている。
なお、ここでは、リフレクタ３およびアウターレンズ５が、いずれも正面視円形状に形
成されている場合について述べるが、一例であってこれに限られず、その形状は、この他
種々（例えば、矩形状や楕円状）の形状を広く適用することができる。
【００２６】
また、アウターレンズ５には、その内面または外面の少なくとも一方（この場合、内面）に光学多層膜４が設けられている。
【００２７】
光学多層膜４は、上述した従来の光学多層膜と同様に、ＴｉＯ２、Ｔａ２Ｏ５、ＺｒＯ２、ＺｎＯ等の金属酸化膜による高屈折率膜と、ＳｉＯ２、ＭｇＦ２、ＡｌＦ６等の金属酸化膜による低屈折率膜と、がそれぞれ目的とする設計波長の１／４を光学膜厚として交互に複数層積層されて形成されている。
【００２８】
光学多層膜４は、黄色光を透過し、それ以外の光を反射する。そのため、光源２から出射された白色光は、光学多層膜４を透過して、黄色光を外部へ放射し、黄色光以外の光を反射する。
【００２９】
例えば、ハロゲン電球を光源２とした黄色光を出射するフォグランプ１を構成する場合において、光学多層膜４は、４１０〜４８０ｎｍにピーク波長を有するピークを有し、５６０ｎｍ以上の反射率が５％以下となるような反射スペクトルを有するように構成することができる。この場合において、着色膜は、光学多層膜４の反射スペクトルのピーク波長以下の波長域光の吸収率が９５％以上（透過率が５％以下）となるよう、例えば４８０ｎｍ以下の波長域の光の吸収率が９５％以上であり、５３０ｎｍ以上波長域の光の吸収率が１０％以下の吸収スペクトルを有するように構成することができる。
また、例えばハロゲン電球を光源２とした黄色光を出射するフォグランプ１を構成する場合において、光学多層膜４は、４５０〜５００ｎｍと６２０〜７００ｎｍとにピーク波長を有し、５２０〜６００ｎｍの反射率が５％以下となるような反射スペクトルを示すように構成することができる。この場合において、着色膜は、光学多層膜４の反射スペクトルの両ピーク波長を吸収波長の波長域（吸収率が１０％以上となる波長域）に含むよう構成することができる。さらに、着色膜の吸収スペクトルの長波長側のピークのピーク波長は、光学多層膜４での反射における角度依存性を考慮して、光学多層膜４におけるピーク波長より短波長（具体的には、５０〜１００ｎｍ短波長）とすることもできる。
【００３０】
以上の構成を有することにより、本実施形態のフォグランプ１は、光学多層膜による反射光に含まれる不所望光の外部への出射を抑制して黄色光を出射することができる。以下、このことについて、光源２から出射される白色光の光路に沿って説明する。
【００３１】
まず、本実施形態のフォグランプ１において、光源２から出射された白色光は、直接（リフレクタに入射せずに）アウターレンズ側に向かうか、あるいは、リフレクタ３により反射後にアウターレンズに入射する。
【００３２】
ここで、直接アウターレンズ５に向かう白色光は、光学多層膜４において黄色光以外の光が灯室６内に反射され、黄色光が透過されて出射される。また、光学多層膜４により灯室６内に反射された光は、リフレクタ３へ入射することにより、その少なくとも一部の不所望な光（黄色以外の光）をカラートップコート９により吸収させて、灯室６の外への放出を抑制することができる。
【００３３】
一方、リフレクタ３に向かう白色光は、リフレクタ３において、カラートップコート９により不所望な光（黄色光以外の光）が吸収されて、黄色光が灯室６内に反射され、その後光学多層膜４およびアウターレンズ５を透過して出射される。尚、この際に、カラートップコート９が透過する光の波長と光学多層膜４が反射する光の波長が重なる場合は、カラートップコート９による透過光の一部が光学多層膜４により反射されるため、光学多層膜５により一部波長が除かれた黄色光が出射される。
【００３４】
つまり、本発明の実施形態のフォグランプによれば、光学多層膜による反射光について、その少なくとも一部の不所望光をリフレクタで反射する際にカラートップコートにより吸収することができるため、不所望光の放出を抑制することができる。そのため、特定の観視角度において、異なる色の見栄えを生じることを抑制することができる。
【００３５】
また、非点灯時においては、外部からの進入光は、一部が光学多層膜４により反射され、黄色光が灯室６内に進入する。光学多層膜４により、黄色以外の光が反射されて干渉により金属的光沢感の高い金属色として視認され、外観上の見栄えを向上させることができるようになっている。そして、着色膜は、カラートップコートとしてリフレクタに形成されているため、非点灯時における灯体の外観が着色膜の色で視認されて外観上の見栄えやデザイン性を損なうことがない。
【００３６】
また、カラートップコート９は、点灯時・非点灯時の双方において、フォグランプ１の観視者に対し、アウターレンズ５に形成された光学多層膜４によりカバーされているため、外部から直接視認されることはない。
【００３７】
さらに、本発明の実施形態のフォグランプによれば、不所望な光の灯体外部への放射抑制を光学多層膜とカラートップコートの少なくともいずれかに担わせることができるため、光学多層膜の設計の自由度を高めることができる。例えば、カラートップコートを備えない場合と比較して、光学多層膜の総数を減らすことなどもできるであろう。
【００３８】
本発明の実施形態のフォグランプ１の放射光について、図２を用いて、着色膜を設けていない比較例１のフォグランプ、アウターレンズを着色した比較例２のフォグランプと比較して詳説する。図２において、光線を矢印を用いて模式的に示している。また、光線に関する説明を容易とするため矢印の幅で光量の大小を示しているが、光量を定量的に示すものではない。
尚、図２において、本発明の実施形態のフォグランプ、比較例２のフォグランプについて、説明を簡略とするために、光学多層膜４により反射される反射光は、全て不所望光とし、該反射光の波長域の光は、カラートップコートや着色されたアウターレンズにより全部吸収されるよう構成したものとして説明する。また、カラートップコートを透過する光は、光学多層膜４によっても透過されるとして説明する。
【００３９】
[本発明の実施形態]
本発明の実施形態のフォグランプ１では、光源２から出射された白色光は、直接（リフレクタに入射せずに）アウターレンズに入射するか、あるいは、リフレクタ３により反射後にアウターレンズに入射する。
【００４０】
直接アウターレンズ５に向かう白色光ＬＷ１は、図２（ａ１）に示すように、光学多層膜４において黄色光ＬＹ１が透過されて出射される。黄色光以外の光ＬＯ２は、光学多層膜４において反射されて灯室６内に戻される。また、光学多層膜４は、黄色光以外の光の反射率が１００％ではないため、黄色光以外の光ＬＯ１がＬＹ１とほぼ同一方向に出射される。灯室６内に戻された黄色以外の光ＬＯ２は、カラートップコート９により吸収されて、灯室６の外に放射されることがない。
【００４１】
リフレクタ３に向かう白色光ＬＷ２は、図２（ａ２）に示すように、リフレクタ３において、カラートップコート９により黄色光以外の光が吸収されて、黄色光ＬＹ３が灯室６内に反射され、光学多層膜４およびアウターレンズ５を透過して出射される。
【００４２】
[比較例１]
着色膜を設けていない比較例１のフォグランプについても本発明の実施形態のフォグランプと同様に、光源２から出射された白色光は、直接（リフレクタに入射せずに）アウターレンズに入射するか、あるいは、着色膜を備えていないリフレクタ３Ｘにより反射後にアウターレンズに入射する。
【００４３】
直接アウターレンズ５に向かう白色光ＬＷ１は、図２（ｂ１）に示すように、光学多層膜４において黄色光ＬＹ１が透過されて出射される。黄色光以外の光ＬＯ２は、光学多層膜４において反射されて灯室６内に戻される。また、光学多層膜４は、黄色光以外の光の反射率が１００％ではないため、黄色光以外の光ＬＯ１がＬＹ１とほぼ同一方向に出射される。灯室６内に戻された黄色以外の光ＬＯ２は、リフレクタ３Ｘにより反射されてアウターレンズ５に向かい、光学多層膜４により黄色光以外の光ＬＯ４が反射される。また、光学多層膜４の反射率が１００％ではないことにより、一部の黄色光以外の光ＬＯ５が光学多層膜４とアウターレンズ５を透過して出射される。
【００４４】
リフレクタ３Ｘに向かう白色光ＬＷ２は、図２（ｂ２）に示すように、リフレクタ３Ｘにより反射されてアウターレンズ５へ向かい光学多層膜４に入射する。白色光ＬＷ２は、光学多層膜４において、黄色光以外の光ＬＯ７が反射され、黄色光ＬＹ４が透過される。また、一部の黄色光以外の光ＬＯ６が光学多層膜４を透過して、黄色光ＬＹ４とほぼ同一方向に出射される。光学多層膜４により反射されて灯室６内に戻された黄色光以外の光ＬＯ７は、リフレクタ３Ｘにより反射されてアウターレンズ５に向かい、光学多層膜４により黄色光以外の光ＬＯ８が反射される。また、光学多層膜４の反射率が１００％ではないことにより、一部の黄色光以外の光ＬＯ９が光学多層膜４とアウターレンズ５を透過して出射される。
【００４５】
[比較例２]
アウターレンズが着色された比較例２のフォグランプについても本発明の実施形態のフォグランプと同様に、光源２から出射された白色光は、直接（リフレクタに入射せずに）アウターレンズに入射するか、あるいは、リフレクタ３により反射後に着色されたアウターレンズ５Ｘに入射する。
【００４６】
直接アウターレンズ５Ｘに向かう白色光ＬＷ１は、図２（ｃ１）に示すように、光学多層膜４および着色されたアウターレンズ５Ｘを透過した黄色光ＬＹ２が出射される。黄色光以外の光ＬＯ２は、光学多層膜４において反射されて灯室６内に戻される。また、比較例１のフォグランプと同様、一部の黄色光以外の光ＬＯ１が光学多層膜４を透過するが、着色されたアウターレンズ５Ｘにより吸収されるため、灯室６の外に放射されることがない。灯室６内に戻された黄色以外の光ＬＯ２は、リフレクタ３により反射されてアウターレンズ５Ｘに向かい、光学多層膜４により黄色光以外の光ＬＯ４が反射される。また、比較例１のフォグランプと同様、一部の黄色光以外の光ＬＯ５が光学多層膜４を透過するが、着色されたアウターレンズ５Ｘにより吸収されるため、灯室６の外へ放射されることがない。
【００４７】
リフレクタ３に向かう白色光ＬＷ２は、図２（ｃ２）に示すように、リフレクタ３により反射されてアウターレンズ５Ｘへ向かい光学多層膜４に入射する。白色光ＬＷ２は、光学多層膜４および着色されたアウターレンズ５Ｘを透過して黄色光ＬＹ５が出射される。光学多層膜４において、黄色光以外の光ＬＯ７が反射される。また、比較例１のフォグランプと同様、一部の黄色光以外の光ＬＯ６が光学多層膜４を透過するが、着色されたアウターレンズＸ５により吸収されて灯室６の外へ放出されることはない。光学多層膜４により反射されて灯室６内に戻された黄色光以外の光ＬＯ７は、リフレクタ３により反射されてアウターレンズ５Ｘに向かい、光学多層膜４により黄色光以外の光ＬＯ８が反射される。また、比較例１と同様、一部の黄色光以外の光ＬＯ８が光学多層膜４を透過するが、着色されたアウターレンズ５Ｘにより吸収されて灯室６の外に出射されることがない。
【００４８】
[本発明の実施形態と比較例１、比較例２との対比]
本発明の実施形態のフォグランプは、比較例１のフォグランプと比較して、黄色以外の光ＬＯ５、ＬＯ９を生じないないものとすることができる。ここで、黄色以外の光ＬＯ５、ＬＯ９は、黄色以外の光ＬＯ１のように黄色光ＬＹ１と同時に同一方向へ出射されるものとは異なるため、これらが出射されることにより特定の観視角度で異なる色の見栄えを生じる可能性がある。つまり、本発明の実施形態のフォグランプによれば、特定の観視角度で異なる色の見栄えを生じることを抑制することができる。
【００４９】
本発明の実施形態のフォグランプは、比較例２のフォグランプと比較して、直接アウターレンズに向かう白色光ＬＷ１からの黄色光を効率よく放出することができる。ここで、比較例２のフォグランプにおいて、黄色光ＬＹ２は、白色光ＬＷ１が、光学多層膜４と着色されたアウターレンズ５Ｘを透過した光であるが、着色されたアウターレンズ５Ｘの黄色光の透過率は１００％ではないため光量を損失したものとなる（白色光ＬＷ１が光学多層膜４を透過して得られる黄色光の一部をアウターレンズ５Ｘが吸収してしまう。）。つまり、本発明の実施形態のフォグランプによれば、着色膜による黄色光などの所望光の光量の損失を抑制することができる。
【００５０】
なお、本発明は、上述した実施形態に限定されることなく、本発明の趣旨を逸脱しない
範囲で適宜変更可能である。
【００５１】
例えば、上述した実施形態において着色膜は、保護膜の機能を兼ねるカラートップコートとして構成される形態を説明したが、着色膜は、保護膜の機能を兼ね備えたものでなくてもよく、また、他の機能を備えた膜としてもよい。すなわち、リフレクタ３は、反射膜上に着色膜とクリアトップコートを積層した構造とすることもできる。
【００５２】
例えば、上述した実施形態において、リフレクタ３は、成形樹脂基体７上に反射膜７、カラートップコート９を順次積層した三層構造で説明したが、機能追加のため適宜な層を積層してもよく、例えばアンダーコート層などを設けてもよい。
【００５３】
例えば、着色膜の吸収波長域は、光学多層膜４の反射光のほぼ全てを吸収するよう設計されるものだけでなく、適宜用途に応じて許容される光を放出するよう、一部の不所望光の波長域を吸収するよう構成することができる。
【００５４】
例えば、上述した実施形態では、本発明に係るフォグランプ１は、光源２からの白色光が直接アウターレンズへ向けて出射される構成で説明したが、光源２からの白色光がアウターレンズ方向へ直射されずに、リフレクタ方向に出射される構成としてもよい。たとえば、光源２としてハロゲンランプの先端に遮光膜を備えたハロゲンランプを用いて構成することができる。
【００５５】
例えば、上述した実施形態では、本発明に係るフォグランプ１は、リフレクタと主にカバーとしてのアウターレンズとからなる光学系を有するタイプで説明したが、リフレクタと投影レンズを介するプロジェクタタイプの光学系にも適用することができる。この場合において、光学多層膜は、投影レンズの内面または外面の少なくとも一方に形成することができる。
【００５６】
例えば、上述した実施形態では、本発明に係るフォグランプ１の光源２として、ハロゲンランプを適用する場合について説明したが、本発明はこれに限られることなく、フォグランプ１の光源２としては、この他、例えば白熱電球、ＨＩＤランプ（High Intensity Discharge lamp）、ＬＥＤ（Light Emitting Diode：発光ダイオード）、ＬＤ（レーザーダイオード）等の外部から給電されることにより発光する種々の光源を広く適用することができる。
【符号の説明】
【００５７】
１…フォグランプ
２…光源
３…リフレクタ（反射部材）
３ａ…反射面
４…アウターレンズ
５…光学多層膜
６…灯室
７…基体
８…反射膜
９…カラートップコート
ＬＷ１、ＬＷ２…白色光
ＬＹ１〜ＬＹ５…黄色光
ＬＯ１〜ＬＯ９…黄色光以外の光
【図１】
2015079683.tif 000003
【図２】
2015079683.tif 000004